(57)【要約】【課題】  高温のホットドリンク等が入っている場合にも熱くなく持つことができるコップ構成体を提供する。【解決手段】  コップ本体２と、コップ本体２の上面開口２５を覆う蓋体３とからなり、蓋体３がコップ本体２に下方側から装着可能とされ、さらに、蓋体３がコップ本体２が嵌入される嵌入開口３７の形成部３３を備え、形成部３３により嵌入開口３７が形成された蓋体３が、嵌入開口３７内にコップ本体２が嵌入されることでコップ本体２に下方側から装着可能とされてなるコップ構成体。【選択図】      図３
2005253913.tif 000002
【特許請求の範囲】
【請求項１】
コップ本体と、前記コップ本体の上面開口を覆う蓋体とからなり、
前記蓋体が前記コップ本体に下方側から装着可能とされてなることを特徴とするコップ構成体。
【請求項２】
前記蓋体が前記コップ本体が嵌入される嵌入開口の形成部を備え、前記形成部により前記嵌入開口が形成された前記蓋体が、前記嵌入開口内に前記コップ本体が嵌入されることで前記コップ本体に下方側から装着可能とされてなることを特徴とする請求項１記載のコップ構成体。
【発明の詳細な説明】
【技術分野】
【０００１】  この発明は、ホットドリンク用等として用いられる紙製等のコップ構成体に関する。
【背景技術】
【０００２】  例えば、高温のホットコーヒーを紙コップ入れて飲む際、紙コップ側面が熱くなるので長く持っていられない問題がある。そこで、最近では樹脂の発泡体層を紙コップ面に一体に設けこれにより断熱することで紙コップを持ちやすくしたものがある。しかしながら、現状のものはその断熱効果が十分で無くてやはり熱くて持ちにくい。発泡体層を厚くしたり、複数層とすれば断熱効果は高まるが紙コップの製造に手間がかかるとともに、コストも高くなってしまう。これに対して、紙コップの側面に組立式の把手を一体に設けたものがあるが、このものの場合その組立に手間がかかるとともに、把手も紙製であるので構造が安定せず持ちにくいという問題点がある。
【発明の開示】
【発明が解決しようとする課題】
【０００３】  この発明では、高温のホットドリンク等が入っている場合にも熱くなく持つことができるコップ構成体を提供することを目的とする。
【課題を解決するための手段】
【０００４】  この発明では、コップ本体と、前記コップ本体の上面開口を覆う蓋体とからなり、前記蓋体が前記コップ本体に下方側から装着可能とされてなることを特徴とするコップ構成体を、さらに、上記構成において前記蓋体が前記コップ本体が嵌入される嵌入開口の形成部を備え、前記形成部により前記嵌入開口が形成された前記蓋体が、前記嵌入開口内に前記コップ本体が嵌入されることで前記コップ本体に下方側から装着可能とされてなることを特徴とするコップ構成体を提供する。【０００５】  上記構成によれば、装着された蓋体を介してコップ本体を持つことができ、したがって、コップ本体内に高温のホットドリンク等が入れられている場合にも熱くなくコップ本体を持って飲むことができる。【０００６】  この発明のコップ構成体は、ホットドリンクの他にみそ汁やカップ麺用としても用いられる。コップ本体、蓋体はともに紙製またはプラスチック製で、コップ本体は従来より汎用されるものを使用する。蓋体は適宜の構成によりコップ本体に装着されればよく、例えば、蓋体に形成される嵌入開口にコップ本体が嵌入されることで装着される。【０００７】  装着された際にコップ本体と蓋体間に断熱空間が形成されることでより上記作用効果が高められる。また、蓋体はコップ本体面に沿うように装着されることで安定支持されて持ちやすい形態が得られる。また、蓋体のコップ本体への装着位置は飲む動作が容易に行なえるようにコップ本体の中間高さよりすこし高い位置に装着される。
【発明の効果】
【０００８】  この発明のコップ構成体を用いることで、高温のホットドリンク等を常に熱くなく持てるようになり、これにより美味しく安全に飲むことができるようになる。とくに、蓋体を利用して別個に部材を用いない点において構成に無駄が無く、製造容易、かつ、安価に実現できる利点がある。
【発明を実施するための最良の形態】
【０００９】［第１の実施形態］
図１はこの発明のコップ構成体の外観斜視図、図２は断面図である。コップ構成体１は紙製のコップ本体２と、コップ本体２の上面開口２５を覆うプラスチックス製の蓋体３とからなり、コップ本体２は従来より汎用されているものを使用する。【００１０】  上記蓋体３は上面部３１とその上面部３１の周縁から下方に延び出す周面部３２とからなり、上面部３１には外周に沿って円形の嵌入開口３７の形成部としての切り取り線３３が形成されている。切り取り線３３は所定間隔ごとに接続部３４が残る形で切り込み３５それぞれが設けられて構成されている。周面部３２は外方に湾曲突出する縦方向の凸条３６が連続して並設された構成となっている。蓋体３はコップ本体２の上面開口２５を覆うように装着されることで、コップ本体２内への埃等の侵入、コップ本体２内からのホットコーヒー等のこぼれを防ぐ。蓋体３はコップ本体２とセットで販売され、１０個のコップ本体２が１単位として販売される場合は１０個の蓋体３が一緒に販売される。【００１１】  図３、図４はホットコーヒー等を飲む際におけるコップ構成体１の形態を示す。蓋体３は切り取り線３３位置で上面部３１が切り取り除去されて残った周面部３２のみとなっており、上面部３１が除去されて形成された嵌入開口３７内にコップ本体２が下方側から嵌入されるようにして蓋体３がコップ本体２に装着されている。この状態において蓋体３介してコップ本体２を持つことでホットコーヒー等が飲まれる。【００１２】  上記のようにして、熱くなっているコップ本体２面に直接手を触れることなく飲むことが可能となる。とくに、周面部３２が凸条３６を備える構成とされていることで、それらの内面側それぞれにコップ本体２の外面との間に断熱空間３９それぞれが形成されてコップ本体２側から蓋体３側への熱伝導が妨げられ、これにより断熱効果が高められて蓋体３の周面部３２の温度上昇は殆どない。【００１３】  さらに、そのようにコップ本体２と蓋体３間に断熱空間３９が形成されるにもかかわらず、凸条部３６それぞれの間に位置し内方に突出する縦方向の接続部４０それぞれの傾斜角度がコップ本体２の外面の傾斜角度とほぼ一致するように設計していることで、接続部４０それぞれがコップ本体２の外面に沿う状態となり、これにより蓋体３はコップ本体２に安定した状態に装着されてガタつくことがないようになっている。くわえて、装着された蓋体３がコップ本体２の最上位置まできた場合には飲む際に蓋体３が邪魔になり、また、下すぎる場合にはコップ本体２が安定しないこととなるので、コップ本体２の上端位置と蓋体３の上端位置間に１．５〜２．０ｃｍの間隔Ｓが保たれ、かつ、コップ本体２の周面の中間高さより少し上方となる位置に蓋体３が装着されるように嵌入開口３７の径を設計している。【００１４】［第２の実施形態］
図５はこの発明のコップ構成体の外観斜視図である。この実施形態のものでは、第１の実施形態のものにおいて、蓋体３の上面部３１が蓋体３から完全に除去されることなく嵌入開口３７が形成され、その上面部３１を一体とする状態においてコップ本体２に装着されるようになっている。すなわち、切り取り線３３の一部に接続部４２が残され、さらに上面部３１には表面側が凹むことで薄肉された線状の折り曲げ部４３が形成されている。このような構成により蓋体３がコップ本体２に装着される際には、図６に示すように、切り取り線３３で外された上面部３１が折り曲げ部４３で折り曲げられその折り曲げ端部４５がテーブル面Ｔ上に位置する。これによりコップ本体２をテーブル面Ｔ上等に置いた際に、蓋体３がコップ本体２の所定位置に位置決めされて下方にずれ落ちることがなく、この構成によれば飲む際に一々蓋体３を持ちあげる手間が省ける。【００１５】［第２の実施形態の変形例］
切り取り線３３で外された上面部３１をその基部において上方に折り曲げ、その先端をコップ本体２の上縁部に係止するようにすることで、第２の実施形態のものと同様にコップ本体２をテーブル面Ｔ上等に置いた際に、蓋体３がコップ本体２の所定位置に位置決めされる形態が得られる。【００１６】［第３の実施形態］
図７はこの発明のコップ構成体の断面図である。この実施形態のものでは、蓋体３はその上面に円形の開口４８を備えその開口４８を覆うように円形のシール片５０が貼り付けられており、このシール片５０が剥されることで開口４８が露呈して嵌入開口３７が形成されるようになっている。シール片５０表面には適宜のデザイン模様が付され意匠性が高められる。この実施形態のものは第１の実施形態のものと同様の機能を発揮する。
【図面の簡単な説明】
【図１】  この発明のコップ構成体の第１の実施形態の外観斜視図
【図２】  この発明のコップ構成体の第１の実施形態の一部切欠き断面正面図
【図３】  この発明のコップ構成体の第１の実施形態の異なる形態における一部切欠き断面正面図
【図４】  この発明のコップ構成体の第１の実施形態の図３の形態における水平方向端面図
【図５】  この発明のコップ構成体の第２の実施形態の外観斜視図
【図６】  この発明のコップ構成体の第２の実施形態の一部切欠き断面正面図
【図７】  この発明のコップ構成体の第３の実施形態の一部切欠き断面正面図
【符号の説明】
１  コップ構成体
２  コップ本体
３  蓋体
３３  切り取り線（嵌入開口形成部）
３７  嵌入開口
【図１】
2005253913.tif 000003
【図２】
2005253913.tif 000004
【図３】
2005253913.tif 000005
【図４】
2005253913.tif 000006
【図５】
2005253913.tif 000007
【図６】
2005253913.tif 000008
【図７】
2005253913.tif 000009